(57)【要約】【課題】  店頭で提供されたキャリー格納箱のキャリー格納箱としての使用後に、該キャリー格納箱をロール格納箱として再利用可能にし、更には、該ロール格納箱の使用時におけるロール状物品の回転引き出し性に優れる物品格納箱を提供すること。【解決手段】  物品格納箱１００であって、支持部４０が蓋板３１の外面側に配置され、キャリー格納箱１００１Ａの把手４０Ａとして使用可能にされ、支持部４０が蓋板３１の内面側に配置され、ロール格納箱１００Ｂの回転支軸４０Ｂとして使用可能にされるもの。【選択図】  図５
2019014515.tif 000002
【特許請求の範囲】
【請求項１】
箱本体の中に設けた格納部に物品を格納可能にする物品格納箱であって、
該箱本体が該格納部を開閉する蓋板を有し、該蓋板が該蓋板に連結される支持部を備え、
該支持部が該蓋板の外面側と内面側の双方に選択的に配置替え可能にされ、
該支持部が該蓋板の外面側に配置され、物品が該格納部に格納されて該蓋板が閉蓋された状態で、該支持部が把手として使用可能にされ、
該支持部が該蓋板の内面側に配置され、外界に開かれた該蓋板の該支持部にロール状物品が挿填され、該蓋板が閉蓋されて該支持部及び該ロール状物品が該格納部に格納された状態で、ロール状物品が該支持部に回転可能に支持されて該ロール状物品の先端部を該箱本体に備えた引き出し口から引き出して使用可能にされる物品格納箱。
【請求項２】
前記箱本体が前記引き出し口を備える正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支持部を備える請求項１に記載の物品格納箱。    
【請求項３】
前記連結片が、前記蓋板の閉蓋時に、前記箱本体の正面板及び背面板に交差する側板の内側面に添って前記格納部に納められる平板状をなし、  前記支持部が該連結片の先端部に連結されて丸められた筒状をなす請求項２に記載の物品格納箱。    
【請求項４】
前記蓋板の前記ヒンジ部に交差する両側の第１と第２の側縁部のそれぞれに第１と第２の連結片を介して支持部と支持受部を備え、ロール状物品が挿填された該支持部の自由端を該支持受部に支持させてなる請求項２又は３に記載の物品格納箱。
【請求項５】
前記支持部の自由端が前記支持受部に挿着されて支持され、この挿着状態のロックとロック解除とを行なうロック切換手段を有してなる請求項４に記載の物品格納箱。
【請求項６】
前記箱本体が１枚の展開状態の厚板を折り曲げることにより形成されてなる請求項１乃至５のいずれかに記載の物品格納箱。
【発明の詳細な説明】
【技術分野】
【０００１】
本発明は物品格納箱に関する。
【背景技術】
【０００２】
従来、店頭でケーキ等の物品を箱本体の中に設けた格納部に格納し、これを運搬するキャリー格納箱として、特許文献１に基礎の如く、箱本体が格納部を開閉する蓋板を有し、該蓋板に把手を連設してなるものがある。
【先行技術文献】
【特許文献】
【０００３】
【特許文献１】特開2003-226325号公報
【発明の概要】
【発明が解決しようとする課題】
【０００４】
しかしながら、特許文献１に記載のキャリー格納箱は、店頭から持ち運んだキャリー格納箱としての使用後には該キャリー格納箱が廃棄物として廃棄処分されなければならず、箱の有効利用度が低い。
【０００５】
また、キャリー格納箱は、キャリー格納箱としての使用後にはそのまま廃棄処分される運命にあるため、キャリー格納箱の材質、デザイン等は低コスト化され易く、キャリー格納箱の高級化に困難がある。
【０００６】
尚、本発明者は、キャリー格納箱の使用後に、該キャリー格納箱をロールペーパー等のロール状物品のためのロール格納箱として再利用し、更には、該ロール格納箱に格納したロール状物品の回転引き出し性の向上を図ることを着想した。
【０００７】
本発明の課題は、店頭で提供されたキャリー格納箱のキャリー格納箱としての使用後に、該キャリー格納箱をロール格納箱として再利用可能にし、更には、該ロール格納箱の使用時におけるロール状物品の回転引き出し性に優れる物品格納箱を提供することにある。
【課題を解決するための手段】
【０００８】
請求項１に係る発明は、箱本体の中に設けた格納部に物品を格納可能にする物品格納箱であって、該箱本体が該格納部を開閉する蓋板を有し、該蓋板が該蓋板に連結される支持部を備え、該支持部が該蓋板の外面側と内面側の双方に選択的に配置替え可能にされ、該支持部が該蓋板の外面側に配置され、物品が該格納部に格納されて該蓋板が閉蓋された状態で、該支持部が把手として使用可能にされ、該支持部が該蓋板の内面側に配置され、外界に開かれた該蓋板の該支持部にロール状物品が挿填され、該蓋板が閉蓋されて該支持部及び該ロール状物品が該格納部に格納された状態で、ロール状物品が該支持部に回転可能に支持されて該ロール状物品の先端部を該箱本体に備えた引き出し口から引き出して使用可能にされるものである。
【０００９】
請求項２に係る発明は、請求項１に係る発明において更に、前記箱本体が前記引き出し口を備える正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支持部を備えるようにしたものである。
【００１０】
請求項３に係る発明は、請求項２に係る発明において更に、前記連結片が、前記蓋板の閉蓋時に、前記箱本体の正面板及び背面板に交差する側板の内側面に添って前記格納部に納められる平板状をなし、前記支持部が該連結片の先端部に連結されて丸められた筒状をなすようにしたものである。
【００１１】
請求項４に係る発明は、請求項２又は３に係る発明において更に、前記蓋板の前記ヒンジ部に交差する両側の第１と第２の側縁部のそれぞれに第１と第２の連結片を介して支持部と支持受部を備え、ロール状物品が挿填された該支持部の自由端を該支持受部に支持させてなるようにしたものである。
【００１２】
請求項５に係る発明は、請求項４に係る発明において更に、前記支持部の自由端が前記支持受部に挿着されて支持され、この挿着状態のロックとロック解除とを行なうロック切換手段を有してなるようにしたものである。
【００１３】
請求項６に係る発明は、請求項１乃至５にいずれかに係る発明において更に、前記箱本体が１枚の展開状態の厚板を折り曲げることにより形成されてなるようにしたものである。
【発明の効果】
【００１４】
（請求項１）
(a)物品格納箱は、支持部が蓋板の外面側に配置され、物品が格納部に格納されて蓋板が閉蓋された状態で、支持部が把手として利用可能にされ、キャリー格納箱を構成する。
【００１５】
他方、物品格納箱は、支持部が蓋板の内面側に配置され、外界に開かれた蓋板の支持部にロール状物品が挿填され、蓋板が閉蓋されて支持部及びロール状物品が格納部に格納された状態で、ロール状物品が支持部に回転可能に支持されてロール状物品の先端部を箱本体に備えた引き出し口から引き出して使用可能にされ、ロール格納箱を構成する。
【００１６】
これにより、店頭で提供されたキャリー格納箱のキャリー格納箱としての使用後にキャリー格納箱を廃棄物として廃棄処分することなく、該キャリー格納箱をロール格納箱として再利用できる。即ち、キャリー格納箱をロール格納箱として再利用できることから、キャリー格納箱の材質、デザイン等に一定のコストをかけることができ、キャリー格納箱を高級化できる。
【００１７】
(b)蓋板に支持部を備え、外界に開かれた蓋板の支持部にロール状物品が回転可能に挿填され、蓋板がロール状物品を支持部に挿填した状態で閉蓋される。従って、箱本体の一部である蓋板に支持部を連設して備えるものとしながら、箱本体の格納部に納められるロール状物品を、同じく格納部の中に配設されて使用される支持部に対し簡易かつ確実に挿填してセットできる。
【００１８】
(c)箱本体の内部に納められるロール状物品が支持部に回転可能に挿填されてセットされ、ロール状物品を支持部まわりで回転可能にしたから、ロール状物品の引き出し使用性は良い。
【００１９】
（請求項２）
(d)前記箱本体が前記引き出し口を備えた正面板を有するとき、前記蓋板が該正面板、又は該正面板に相対する背面板の上縁部に連設されているヒンジ部を回転中心として開閉可能にされ、該蓋板の該ヒンジ部に交差する側縁部に連結片を介して前記支持部を備える。これにより、支持部が、連結片を介することにより、箱本体の格納部の中の高さ方向中間レベルに位置付けられ、かつ引き出し口に平行配置される。従って、支持部に回転可能に挿填されたロール状物品は、格納部の中の適宜の高さ位置にセットされ、かつ引き出し口から円滑に引き出し使用可能にされる。
【００２０】
（請求項３）
(e)前記連結片が、前記蓋板の閉蓋時に、前記箱本体の正面板及び背面板に交差する側板の内側面に添って前記格納部に納められる平板状をなす。これにより、ロール状物品の全幅を、箱本体の両側の側板の内法から連結片の平板厚みを差し引いて得られた寸法に近い値に設定しておくことで、ロール状物品が回転可能に挿填された支持部を箱本体の格納部に納めたとき、箱本体の側板の内面とロール状物品の端面との間に挟まれる連結片の振れ動きを抑制できる。従って、この連結片に連結されている支持部は、格納部の中における位置を安定化され、ロール状物品を安定的に回転可能にし、ロール状物品の引き出し使用性を向上する。
【００２１】
(f)前記支持部が前記連結片の先端部に連結されて丸められた筒状をなす。丸められた筒状支持部は、支持部が平板状をなすものに比して、支持部まわりでのロール状物品の回転性をスムースにし、ロール状物品の引き出し使用性を向上する。
【００２２】
（請求項４）
(g)前記蓋板の前記ヒンジ部に交差する両側の第１と第２の側縁部のそれぞれに第１と第２の連結片を介して支持部と支持受部を備え、ロール状物品が挿填された支持部の自由端を支持受部に支持させる。支持部は、一端を蓋板の一側の側縁部に設けられた第１の連結片に支持され、他端の自由端を蓋板の他側の側縁部に設けられた第２の連結片の支持受部に支持される。従って、支持部は蓋板の両側の側縁部に設けられた第１と第２の連結片により両持ち支持されるものになる。これにより、支持部は箱本体の中における支持状態を安定化され、ロール状物品を安定的に回転可能にし、ロール状物品の引き出し使用性を向上する。
【００２３】
（請求項５）
(h)前記支持部の自由端が前記支持受部に挿着されて支持され、この挿着状態のロックとロック解除とを行なうロック切換手段を有する。物品格納箱がキャリー格納箱とロール格納箱のそれぞれに使用されるときに、支持部と支持受部との挿着状態を安定的に維持できる。
【００２４】
（請求項６）
(i)１枚の展開状態の厚紙等の厚板を折り曲げることにより箱本体を形成し、支持部を箱本体の一部である蓋板に連結されるようにして備えた。これにより、箱本体及び支持部からなる物品格納箱の全てが１枚の厚板から構成され、ばらばらな複数パーツを管理する必要がないし、組立段階まで１枚の展開状態の厚板を管理するだけで足り、取扱い性を向上できる。
【図面の簡単な説明】
【００２５】
【図１】図１は実施例１の物品格納箱を構成する厚紙の展開図である。
【図２】図２の物品格納箱の支持部を箱外に配置した状態の斜視図である。
【図３】図３は物品格納箱の支持部を箱内に配置した状態の斜視図である。
【図４】図４は物品格納箱の組立て過程を示す斜視図である。
【図５】図５は蓋板の支持部にロールペーパーを挿填する過程を示す斜視図である。
【図６】図６は蓋板の支持部に挿填したロールペーパーを格納部に格納する過程を示す斜視図である。
【図７】図７は閉蓋された格納部からロールペーパーを引き出して使用する状態を示す斜視図である。
【図８】図８は図７のVIII-VIII線に沿う断面図である。
【図９】図９は支持部のロック切換手段を示す模式図である。
【図１０】図１０は実施例２の物品格納箱を構成する厚紙の展開図である。
【図１１】図１１の物品格納箱の支持部を箱外に配置した状態の斜視図である。
【図１２】図１２は物品格納箱の支持部を箱内に配置した状態の斜視図である。
【図１３】図１３は物品格納箱の組立て過程を示す斜視図である。
【図１４】図１４は蓋板の支持部にロールペーパーを挿填する過程を示す斜視図である。
【図１５】図１５は蓋板の支持部に挿填したロールペーパーを格納部に格納する過程を示す斜視図である。
【図１６】図１６は閉蓋された格納部からロールペーパーを引き出して使用する状態を示す斜視図である。
【図１７】図１７は図１６のXVII-XVII線に沿う断面図である。
【発明を実施するための形態】
【００２６】
（実施例１）（図１乃至図９）
物品格納箱１００は、１枚の板紙、段ボール紙等の厚紙を印刷機、打抜き機に通すことにより、図１の展開紙１０１に打抜き形成される。その後の使用段階で、展開紙１０１を折り曲げることにより箱本体１０２を形成し、(i)箱外に配置される支持部４０を把手４０Ａとして用い、箱本体１０２の中に設けた格納部１０３にケーキ等の物品を格納して運搬可能にするキャリー格納箱１００Ａとして使用可能にされるとともに、(ii)箱内に配置される支持部４０をロールペーパー１（ロール状物品）のための回転支軸４０Ｂとして用いるとともに、格納部１０３に支持部４０及びロールペーパー１を格納し、回転支軸４０Ｂに回転可能に支持されたロールペーパー１の先端部２を箱本体１０２に備えた引き出し口１０４から引き出し可能にするロール格納箱１００Ｂとして使用可能にされる。
【００２７】
物品格納箱１００は、図１に示す如く、正面板１１の左右の側縁部に左右の側板１２、１３を折り曲げ可能に連設し、側板１２の左側縁部に背面板１４を折り曲げ可能に連設している。更に、物品格納箱１００は、側板１３の右側縁部に差込片１３Ａを折り曲げ可能に連設し、背面板１４の左側縁部に当て板１４Ａを折り曲げ可能に連設するとともに、背面板１４と当て板１４Ａの折り曲げ部に沿う中央部分に差込片１３Ａのための差込スリット１４Ｂを設けている。図４に示す如く、正面板１１に対して左右の側板１２、１３を折り曲げ、側板１２に対して背面板１４を折り曲げ、背面板１４に対して折り曲げた当て板１４Ａの上に側板１３を当て、側板１３に対して折り曲げた差込片１３Ａを差込スリット１４Ｂに差し込むことにより、平面視で四角状の箱胴１０が形成される。箱胴１０において、正面板１１の内側面と背面板１４の内側面の内法はロール状物品１を格納可能とするように、該ロール状物品１の格納当初の外径より大きく設定され、左右の側板１２、１３の内法はロール状物品１の幅より大きく設定される。
【００２８】
このとき、背面板１４は当て板１４Ａの折り曲げ部に沿う中央部分（差込スリット１４Ｂに沿う部分）を該当て板１４Ａの折り曲げ部よりも長さｈだけ僅かに突き出した突片１５とし、差込スリット１４Ｂに差し込まれた側板１３の差込片１３Ａの外側面を突片１５の内側面に当接させ、箱胴１０の組立強度を高めている。
【００２９】
尚、正面板１１は、その上端寄り（上下中央又は下端寄りでも可）の幅方向全域に渡り、ジッパー（ミシン目等でも可）で囲まれた閉鎖板１６を有する。閉鎖板１６は、物品格納箱１００がキャリー格納箱１００Ａとしての使用段階では開封されずに箱本体１０２の格納部１０３を封止し、物品格納箱１００がロール格納箱１００Ｂとしての使用段階では開封されて取り除かれ、ロールペーパー１の引き出し口１０４を形成可能にする。閉鎖板１６は、全周を正面板１１から切除されて四角状の引き出し口１０４を形成しても良く、コの字状をなす３辺のみを切除されて残りの1辺が正面板１１につながる開き扉状の引き出し口１０４を形成しても良い。
【００３０】
また、正面板１１は、閉鎖板１６の下部にＵ字状切込線によって囲まれた舌片状クリップ１７を備える。クリップ１７は、格納部１０３に格納されたケーキ等に関する物品説明用紙、又は引き出し口１０４からつまみ出されたロールペーパー１の先端部２等を挟み込み保持可能にする。
【００３１】
物品格納箱１００は、図１に示す如く、正面板１１、左右の側板１２、１３、背面板１４の各下縁部に、底板２１、左右の底フラップ２２、２３、底舌片２４のそれぞれを折り曲げ可能に連設している。正面板１１に対して底板２１を折り曲げ、左右の側板１２、１３に対して折り曲げた左右の底フラップ２２、２３を底板２１の外側面の上に重ね、背面板１４に対して折り曲げた底舌片２４を左底フラップ２２と右底フラップ２３の各外側面の上に重ねるとともに、底舌片２４の先端突出部２４Ａを底板２１の先端凹部２１Ａに通して該底板２１の内側面上に差し入れる。これにより、底板２１、左右の底フラップ２２、２３、底舌片２４が互いに重なり合った箱底２０が形成される。
【００３２】
物品格納箱１００は、図１に示す如く、正面板１１の上縁部に蓋板３１を折り曲げ可能に連設し、蓋板３１の先端縁部に閉じ込め板３２を折り曲げ可能に連設している。蓋板３１は、正面板１１との折り曲げ部をヒンジ部３３とし、このヒンジ部３３を回転中心として回転し、箱胴１０及び箱底２０とともに箱本体１０２を形成するとともに、箱本体１０２の中の格納部１０３を開閉可能にする。図７、図８に示す如く、正面板１１に対して蓋板３１を折り曲げ、蓋板３１に対して折り曲げた閉じ込め板３２を背面板１４における上縁側の内側面に添って挿着することにより、格納部１０３を閉じる（閉蓋する）ものになる。
【００３３】
また、物品格納箱１００は、閉じ込め板３２が挿着される背面板１４における上縁側の中央部分に差込舌片３４を有する。差込舌片３４は、図４に示す如く、背面板１４の上縁部に対して平行をなすように背面板１４の内部に設けた折り曲げ部と、背面板１４の上縁部に沿う中央部分を挟んで該上縁部に直交する２条の切離線で区画されて背面板１４の面外に折り曲げ可能にされるとともに、背面板１４の上縁部に沿う中央部分に設けた折り曲げ部から外方へ突出する差込部３４Ａを備える。このとき、蓋板３１は、差込舌片３４の差込部３４Ａが差し込まれるスリット３４Ｂを閉じ込め板３２の折り曲げ部に備える。また、蓋板３１は、閉じ込め板３２のスリット３４Ｂから差し込まれて蓋板３１の内側面に挿着された差込舌片３４の差込部３４Ａを外界に開放させるつまみ用開放部３４Ｃをスリット３４Ｂの側傍に切欠き形成されて備える。閉じ込め板３２が背面板１４の内側面に挿着された蓋板３１の閉蓋状態は、差込舌片３４の差込部３４Ａを閉じ込め板３２のスリット３４Ｂに差し込むことにて維持される。差込舌片３４の差込部３４Ａは、蓋板３１のつまみ用開放部３４Ｃによって外界に開放されている部分が使用者の指先に圧接されてスリット３４Ｂから引き出され、閉じ込め板３２を背面板１４の内側面からの取り出し、ひいては蓋板３１の開蓋を可能にする。
【００３４】
尚、蓋板３１は左右の両側縁部３１Ａ、３１Ｂを箱胴１０の外法（左右の側板１２、１３の外法）よりも外方に長さｈだけ僅かに突き出した突片３５、３６とし、蓋板３１の閉蓋の状態で、蓋板３１の突片３５、３６が左右の側板１２、１３の上端面に当接し、箱本体１０２の閉蓋強度を高めている。
【００３５】
物品格納箱１００は、蓋板３１が該蓋板３１に連結される支持部４０を備える。支持部４０は、蓋板３１の外面側と内面側の双方に選択的に配置替え可能にされる。
【００３６】
物品格納箱１００は、支持部４０が蓋板３１の外面側に配置され（図２）、ケーキ等の物品が格納部１０３に格納されて該蓋板３１が閉蓋された状態で、該支持部４０が把手４０Ａとして使用可能にされ、キャリー格納箱１００Ａを構成する。
【００３７】
他方、物品格納箱１００は、支持部４０が蓋板３１の内面側に配置され（図３）、外界に開かれた蓋板３１の支持部４０にロールペーパー１が挿填され、該蓋板３１が閉蓋されて支持部４０及びロールペーパー１が格納部１０３に格納された状態で、ロールペーパー１が支持部４０に回転可能に支持されて該ロールペーパー１の先端部２を箱本体１０２に設けた引き出し口１０４から引き出して使用可能にされ、ロール格納箱１００Ｂを構成する。
【００３８】
支持部４０は、蓋板３１のヒンジ部３３に交差する側縁部に連結片６１（第１の連結片６１）を介して連結され、連結片６１の外側に折り曲げられた状態で把手４０Ａ(図２)となり、連結片６１の内側に折り曲げられた状態でロールペーパー１の中心孔の中に挿入される回転支軸４０Ｂ（図８）となる。支持部４０に挿填されたロールペーパー１の先端部２を引き出し口１０４から外に引っ張れば、ロールペーパー１は支持部４０を中心として回転し、ペーパー２を軽快に引き出し可能にする。
【００３９】
本実施例において、物品格納箱１００は、蓋板３１のヒンジ部３３に交差する両側の第１と第２の側縁部３１Ａ、３１Ｂのそれぞれに第１と第２の連結片６１、６２を介して支持部４０と支持受部５０を備え、把手４０Ａ又は回転支軸４０Ｂとなる支持部４０の自由端を支持受部５０に支持させる。第１と第２の連結片６１、６２は、支持部４０に挿填されたロールペーパー１が格納部１０３に格納されたとき、支持部４０が格納部１０３の高さ方向の概ね中央部に位置し得る長さとされる。また、支持部４０はロールペーパー１の幅（ロールペーパー１の中心孔の長さ）より僅かに短く設定される。
【００４０】
ここで、第１と第２の連結片６１、６２は、蓋板３１の閉蓋時に、箱本体１０２の正面板１１及び背面板１４に交差する左右の側板１２、１３の内側面に添って格納部１０３に納められる平板状をなす。このとき、第１と第２の連結片６１、６２は、蓋板３１の両側の側縁部３１Ａ、３１Ｂに設けられている突片３５、３６よりも、長さｈだけ内方に位置する折り曲げ部で折り曲げられ、左右の側板１２、１３の内側に差し込まれる。
【００４１】
そして、支持部４０は、第１の連結片６１の先端部に連結される広幅片４１と、広幅片４１の一端側に順に折り曲げ可能につながる狭幅片４２〜４４と、広幅片４１の他端側に順に折り曲げ可能につながる狭幅片４５、４６と、狭幅片４４の先端縁部に連設される係止片４４Ａと、狭幅片４６の先端縁部に連設される当て板４６Ａとを有する。狭幅片４６と当て板４６Ａとの折り曲げ部に沿う中央部分には、係止片４４Ａのための差込スリット４６Ｂを設けている。支持部４０は、広幅片４１の両側で各狭幅片４２〜４４、狭幅片４５、４６を順に折り曲げ、狭幅片４６に対して折り曲げた当て板４６Ａの上に狭幅片４４を当て、狭幅片４４に対して折り曲げた係止片４４Ａを差込スリット４６Ｂに差し込むことにより、六角筒状に丸められた支持部４０が形成される。
【００４２】
また、支持受部５０は、第２の連結片６２の先端部に連設される広幅片５１と、広幅片５１の両側に折り曲げ可能につながる狭幅片５２、５３と、狭幅片５２の先端縁部に連設される係止片５２Ａと、狭幅片５３の先端縁部に連設される当て板５３Ａとを有する。狭幅片５３と当て板５３Ａとの折り曲げ部に沿う中央部分には、係止片５２Ａのための差込スリット５３Ｂを設けている。支持部５０は、広幅片５１の両側で各狭幅片５２、５３を折り曲げ、狭幅片５３に対して折り曲げた当て板５３Ａの上に狭幅片５２を当て、狭幅片５２に対して折り曲げた係止片５２Ａを差込スリット５３Ｂに差し込むことにより、三角筒状に丸められた支持部５０が形成される。支持部４０の六角筒の内径は支持受部５０の三角筒の外径を挿入可能な寸法とされ、結果として、把手４０Ａ又は回転支軸４０Ｂとなる支持部４０の自由端の内径部に支持受部５０の外径部を嵌合可能とし、支持部４０の自由端を支持受部５０に挿着させて支持させることを可能にしている。
【００４３】
更に、本実施例では、支持部４０の自由端と支持受部５０との上述の挿着状態のロックとロック解除とを行なうロック切換手段７０を有する。ロック切換手段７０は、支持部４０の自由端における広幅片４１に折り曲げ可能に連設される係合片７１を備え、係合片７１の広幅片４１との折り曲げ部に沿う中央部分に該広幅片４１からコの字状切込線を介して切離された突部７１Ａを設ける。また、ロック切換手段７０は、支持受部５０の広幅片５１における第２の連結片６２との連設部分に係合孔７２を備える。第２の連結片６２は、広幅片５１との連設部分に該広幅片５１からコの字状切込線によって切離された突部６２Ａを備え、該広幅片５１が第２の連結片６２に対して折り曲げられたときの該広幅片５１における突部６２Ａの切離部分に係合孔７２を生成するものとしている。そして、係合片７１が折り曲げられた支持部４０の自由端に、第２の連結片６２に対して折り曲げられた支持受部５０が図９（Ａ）、（Ｂ）に示す如くに挿着されると、その挿着端で、係合片７１の突部７１Ａが支持受部５０の広幅片５１に備えてある係合孔７２に図９（Ｃ）に示す如くに係入し、係合片７１が広幅片４１に対して直立して第２の連結片６２に添設するに至り、支持部４０の自由端と支持受部５０との挿着状態がロックされる。他方、係合片７１の突部７１Ａと係合孔７２の上述の係入ロック状態から、係合片７１を広幅片４１の外側面に添わせる方向に折り曲げれば、係合片７１の突部７１Ａを係合孔７２から容易に離脱させるに至り、支持部４０の自由端と支持受部５０との挿着状態がロック解除される。
【００４４】
従って、物品格納箱１００は、以下の手順で組立てられてキャリー格納箱１００Ａとして使用される。
【００４５】
(1)正面板１１に対して左右の側板１２、１３を折り曲げ、側板１３に対して背面板１４を折り曲げ、背面板１４に対して折り曲げた当て板１４Ａの上に側板１２を当て、側板１２に対して折り曲げた差込片１３Ａを差込スリット１４Ｂに差し込む（図４）。これにより、箱胴１０が形成される。
【００４６】
(2)正面板１１に対して底板２１を折り曲げ、左右の側板１２、１３に対して折り曲げた左右の底フラップ２２、２３を底板２１の外側面の上に重ね、背面板１４に対して折り曲げた底舌片２４を左底フラップ２２と右底フラップ２３の各外側面の上に重ねるとともに、底舌片２４の先端突出部２４Ａを底板２１の先端凹部２１Ａに通して該底板２１の内側面上に差し入れる。これにより、箱底２０が形成される。
【００４７】
(3)支持部４０及び支持受部５０を蓋板３１の外面側に配置する。そして、六角筒状の支持部４０の自由端の内径部に三角筒状の支持受部５０の外径部を挿着して嵌合し、ロック切換手段７０（係合片７１、係合孔７２）によりその挿着状態をロックする。
【００４８】
(4)ケーキ等の物品が箱本体１０２の格納部１０３に格納され、蓋板３１が閉蓋された状態で、上述(3)の支持部４０が把手４０Ａとして使用可能にされる。
【００４９】
尚、蓋板３１の閉蓋状態は、背面板１４における差込舌片３４の差込部３４Ａを、閉じ込め板３２のスリット３４Ｂに差し込むことにて維持される。また、蓋板３１は、差込舌片３４の差込部３４Ａを閉じ込め板３２のスリット３４Ｂから引き出すことにて開蓋され、ケーキ等の格納部品を取り出し可能にする。
【００５０】
次に、物品格納箱１００が、キャリー格納箱１００Ａとしての使用後に以下の手順で組立てられてロール格納箱１００Ｂとして使用される。
【００５１】
(5)箱本体１０２の格納部１０３からケーキ等の物品が取り出された後に、支持部４０及び支持受部５０を、外界に開かれた蓋板３１の内面側に配置する。そして、六角筒状の支持部４０をロールペーパー１の中心孔に一端側から挿入し、三角筒状の支持受部５０をロールペーパー１の中心孔に他端側から挿入し、支持部４０の自由端の内径部に支持受部５０の外径部を嵌合する（図５、図６）。これにより、蓋板３１の支持部４０にロールペーパー１が回転可能に挿填され、この蓋板３１がロールペーパー１を挿填した状態でキャリー格納箱１００Ａの前述(4)におけると同様に閉蓋されて箱本体１０２を閉じ、箱本体１０２の中に形成された格納部１０３に支持部４０、支持受部５０、及びロールペーパー１が格納される(図７、図８)。
【００５２】
(6)正面板１１に設けてある閉鎖板１６が開封され、ロールペーパー１のための引き出し口１０４を形成する。格納部１０３に格納されたロールペーパー１の先端部２が箱本体１０２の引き出し口１０４からつまみ出され、その必要長さが引き出されて使用される。引き出し口１０４からつまみ出されたロールペーパー１の先端部２は、必要長さの引き出し前段階で、正面板１１が備えるクリップ１７に挟み込み保持される。
【００５３】
本実施例によれば、以下の作用効果を奏する。
(a)物品格納箱１００は、支持部４０が蓋板３１の外面側に配置され、物品が格納部１０３に格納されて蓋板３１が閉蓋された状態で、支持部４０が把手４０Ａとして利用可能にされ、キャリー格納箱１００Ａを構成する。
【００５４】
他方、物品格納箱１００は、支持部４０が蓋板３１の内面側に配置され、外界に開かれた蓋板３１の支持部４０にロールペーパー１が挿填され、蓋板３１が閉蓋されて支持部４０及びロールペーパー１が格納部１０３に格納された状態で、ロールペーパー１が支持部４０に回転可能に支持されてロールペーパー１の先端部を箱本体１０２に備えた引き出し口１０４から引き出して使用可能にされ、ロール格納箱１００Ｂを構成する。
【００５５】
これにより、店頭で提供されたキャリー格納箱１００Ａのキャリー格納箱１００Ａとしての使用後にキャリー格納箱１００Ａを廃棄物として廃棄処分することなく、該キャリー格納箱１００Ａをロール格納箱１００Ｂとして再利用できる。即ち、キャリー格納箱１００Ａをロール格納箱１００Ｂとして再利用できることから、キャリー格納箱１００Ａの材質、デザイン等に一定のコストをかけることができ、キャリー格納箱１００Ａを高級化できる。
【００５６】
(b)蓋板３１に支持部４０を備え、外界に開かれた蓋板３１の支持部４０にロールペーパー１が回転可能に挿填され、蓋板３１がロールペーパー１を支持部４０に挿填した状態で閉蓋される。従って、箱本体１０２の一部である蓋板３１に支持部４０を連設して備えるものとしながら、箱本体１０２の格納部１０３に納められるロールペーパー１を、同じく格納部１０３の中に配設されて使用される支持部４０に対し簡易かつ確実に挿填してセットできる。
【００５７】
(c)箱本体１０２の内部に納められるロールペーパー１が支持部４０に回転可能に挿填されてセットされ、ロールペーパー１を支持部４０まわりで回転可能にしたから、ロールペーパー１の引き出し使用性は良い。
【００５８】
(d)前記箱本体１０２が前記引き出し口１０４を備えた正面板１１を有するとき、前記蓋板３１が該正面板１１、又は該正面板１１に相対する背面板１４の上縁部に連設されているヒンジ部３３を回転中心として開閉可能にされ、該蓋板３１の該ヒンジ部３３に交差する側縁部に連結片６１を介して前記支持部４０を備える。これにより、支持部４０が、連結片６１を介することにより、箱本体１０２の格納部１０３の中の高さ方向中間レベルに位置付けられ、かつ引き出し口１０４に平行配置される。従って、支持部４０に回転可能に挿填されたロールペーパー１は、格納部１０３の中の適宜の高さ位置にセットされ、かつ引き出し口１０４から円滑に引き出し使用可能にされる。
【００５９】
(e)前記連結片６１が、前記蓋板３１の閉蓋時に、前記箱本体１０２の正面板１１及び背面板１４に交差する側板の内側面に添って前記格納部１０３に納められる平板状をなす。これにより、ロールペーパー１の全幅を、箱本体１０２の両側の側板１２、１３の内法から連結片６１の平板厚みを差し引いて得られた寸法に近い値に設定しておくことで、ロールペーパー１が回転可能に挿填された支持部４０を箱本体１０２の格納部１０３に納めたとき、箱本体１０２の側板１３の内面とロールペーパー１の端面との間に挟まれる連結片６１の振れ動きを抑制できる。従って、この連結片６１に連結されている支持部４０は、格納部１０３の中における位置を安定化され、ロールペーパー１を安定的に回転可能にし、ロールペーパー１の引き出し使用性を向上する。
【００６０】
(f)前記支持部４０が前記連結片６１の先端部に連結されて丸められた筒状をなす。丸められた筒状支持部４０は、支持部４０が平板状をなすものに比して、支持部４０まわりでのロールペーパー１の回転性をスムースにし、ロールペーパー１の引き出し使用性を向上する。
【００６１】
(g)前記蓋板３１の前記ヒンジ部３３に交差する両側の第１と第２の側縁部３１Ａ、３１Ｂのそれぞれに第１と第２の連結片６１、６２を介して支持部４０と支持受部５０を備え、ロールペーパー１が挿填された支持部４０の自由端を支持受部５０に支持させる。支持部４０は、一端を蓋板３１の一側の側縁部３１Ａに設けられた第１の連結片６１に支持され、他端の自由端を蓋板３１の他側の側縁部３１Ｂに設けられた第２の連結片６２の支持受部５０に支持される。従って、支持部４０は蓋板３１の両側の側縁部３１Ａ、３１Ｂに設けられた第１と第２の連結片６１、６２により両持ち支持されるものになる。これにより、支持部４０は箱本体１０２の中における支持状態を安定化され、ロールペーパー１を安定的に回転可能にし、ロールペーパー１の引き出し使用性を向上する。
【００６２】
(h)前記支持部４０の自由端が前記支持受部５０に挿着されて支持され、この挿着状態のロックとロック解除とを行なうロック切換手段７０を有する。物品格納箱１００がキャリー格納箱１００Ａとロール格納箱１００Ｂのそれぞれに使用されるときに、支持部４０と支持受部５０との挿着状態を安定的に維持できる。
【００６３】
(i)１枚の展開状態の厚紙等の厚板を折り曲げることにより箱本体１０２を形成し、支持部４０を箱本体１０２の一部である蓋板３１に連結されるようにして備えた。これにより、箱本体１０２及び支持部４０からなる物品格納箱１００の全てが１枚の厚板から構成され、ばらばらな複数パーツを管理する必要がないし、組立段階まで１枚の展開状態の厚板を管理するだけで足り、取扱い性を向上できる。
【００６４】
(実施例２)（図１０乃至図１７）
実施例２の物品格納箱２００は、実施例１の物品格納箱１００における展開紙１０１（図１）、箱本体１０２、格納部１０３、引き出し口１０４（図２乃至図９）と同様の展開紙２０１（図１０）、箱本体２０２、格納部２０３、引き出し口２０４を有して構成され、物品格納箱１００におけるキャリー格納箱１００Ａ、ロール格納箱１００Ｂと同様のキャリー格納箱２００Ａ（図１１）、ロール格納箱２００Ｂ（図１２）として使用可能にされる。物品格納箱２００が物品格納箱１００と実質的に異なる点は、大サイズのケーキ等の物品や、ロールペーパー１に対して例えば２倍程度の軸方向長さを有してなるロール状キッチンタオル１Ａ等のロール状物品を、キャリー格納箱２００Ａやロール格納箱２００Ｂの格納部２０３に格納可能にしたことにある。
【００６５】
物品格納箱２００は、図１０乃至図１７に示す如く、物品格納箱１００における箱胴１０、正面板１１、側板１２、側板１３（差込片１３Ａ）、背面板１４（当て板１４Ａ、差込スリット１４Ｂ）、突片１５、閉鎖板１６、クリップ１７と、底板２１（先端凹部２１Ａ）、底フラップ２２、２３、底舌片２４（先端突出部２４Ａ）と、蓋板３１（側縁部３１Ａ、３１Ｂ）、閉じ込め板３２、ヒンジ部３３、差込舌片３４（差込部３４Ａ、スリット３４Ｂ、つまみ用開放部３４Ｃ）、突片３５、３６と、支持部４０（把手４０Ａ、回転支軸４０Ｂ）、広幅片４１、狭幅片４２乃至４４（係止片４４Ａ）、狭幅片４５、４６（当て板４６Ａ、差込スリット４６Ｂ）と、支持受部５０、広幅片５１、狭幅片５２（係止片５２Ａ）、狭幅片５３（当て板５３Ａ、差込スリット５３Ｂ）と、第１の連結片６１、第２の連結片６２（突部６２Ａ）と、ロック切換手段７０、係合片７１（突部７１Ａ）、係合孔７２と同様の、箱胴２１０、正面板２１１、側板２１２、側板２１３（差込片２１３Ａ）、背面板２１４（当て板２１４Ａ、差込スリット２１４Ｂ）、突片２１５、閉鎖板２１６、クリップ２１７と、底板２２１（先端凹部２２１Ａ）、底フラップ２２２、２２３、底舌片２２４（先端突出部２２４Ａ）と、蓋板２３１（側縁部２３１Ａ、２３１Ｂ）、閉じ込め板２３２、ヒンジ部２３３、差込舌片２３４（差込部２３４Ａ、スリット２３４Ｂ、つまみ用開放部２３４Ｃ）、突片２３５、２３６と、支持部２４０（把手２４０Ａ、回転支軸２４０Ｂ）、広幅片２４１、狭幅片２４２乃至２４５（係止片２４５Ａ）、狭幅片２４６（当て板２４６Ａ、差込スリット２４６Ｂ）と、支持受部２５０、広幅片２５１、狭幅片２５２（係止片２５２Ａ）、狭幅片２５３（当て板２５３Ａ、差込スリット２５３Ｂ）と、第１の連結片２６１、第２の連結片２６２（突部２６２Ａ）と、ロック切換手段２７０、係合片２７１（突部２７１Ａ）、係合孔２７２とを有する。
【００６６】
これにより、物品格納箱２００は、物品格納箱１００における前述(1)乃至(4)と同様の手順で図１３に示す如くに組立てられて大サイズのケーキ等の物品のためのキャリー格納箱２００Ａとして使用される。また、物品格納箱２００は、物品格納箱１００における前述(5)、(6)と同様の手順で図１４乃至図１７に示す如くに組立てられてキッチンタオル１Ａ（先端部２Ａ）のためのロール格納箱２１０として使用される。従って、物品格納箱２００は、物品格納箱１００における前述(a)乃至(i)と同様の作用効果を奏するものになる。
【００６７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明では、前記蓋板の前記ヒンジ部に交差する両側の第１と第２の側縁部のそれぞれに第１と第２の連結片を介して第１と第２の支持部を備え、第１と第２の支持部は一方の支持部に他方の支持部が重合されて連結され、これらの第１と第２の支持部を把手とし、又はロール状物品のための回転支軸とするものでも良い。
【００６８】
また、本発明の支持部は、丸められた筒状をなすことで把手の握り易さ、ロール状物品の回転引き出し性を向上するが、１枚の平板のみからなるもの、又は複数枚の平板が重合されてなるもの等であって良い。
【００６９】
また、本発明の支持受部は、支持部の自由端を嵌合させてこれを支持することにより支持強度を向上するが、支持部の自由端に係合してこれを支持するものであっても良い。
【００７０】
また、本発明の支持部は、相対する他の支持部に重合されて連結され、又は相対する支持受部に支持されることにより、両持ち支持状態とされることで把手の剛性、ロール状物品の回転引き出し性を向上するが、片持ち支持状態で把手とし、又はロール状物品を回転可能に支持するものでも良い。
【００７１】
また、本発明の蓋板は、背面板の上縁部に連設されてなるものでも良い。
【００７２】
また、本発明の物品格納箱は、厚紙からなるものが廃棄処分性等において好ましいが、折り曲げ可能な厚板であればプラスチック板等からなるものであっても良い。
【００７３】
尚、物品格納箱は、店頭で提供されたキャリー格納箱のキャリー格納箱としての使用後に、該キャリー格納箱をロール格納箱として再利用可能にするため、把手又はロール状物品の回転支軸として選択的に用いられる支持部を有し、この支持部を箱外に配置してキャリー格納箱を構成可能にするとともに、この支持部を箱内に配置してロール格納箱を構成可能にするものであっても良い。このとき、把手として用いられる支持部と、ロール状物品の回転支軸として用いられる支持部とが兼用可能にされることは、必須でなく、それらの支持部は互いに独立別物をなすものでも良い。
【産業上の利用可能性】
【００７４】
本発明によれば、店頭で提供されたキャリー格納箱のキャリー格納箱としての使用後に、該キャリー格納箱をロール格納箱として再利用可能にし、更には、該ロール格納箱の使用時におけるロール状物品の回転引き出し性に優れる物品格納箱を提供することができる。
【符号の説明】
【００７５】
１  ロールペーパー
１Ａ  キッチンペーパー
２、２Ａ  先端部
１０、２１０  箱胴
１１、２１１  正面板
１２、１３、２１２、２１３  側板
１４、２１４  背面板
２０、２２０  箱底
３３、２３３  ヒンジ部
３１、２３１  蓋板
４０、２４０  支持部
４０Ａ、２４０Ａ  把手
４０Ｂ、２４０Ｂ  回転支軸
５０、２５０  支持受部
６１、２６１  第１の連結片（連結片）
６２、２６２  第２の連結片（連結片）
７０、２７０  ロック切換手段
１００、２００  物品格納箱
１００Ａ、２００Ａ  キャリー格納箱
１００Ｂ、２００Ｂ  ロール格納箱
１０１、２０１  展開紙
１０２、２０２  箱本体
１０３、２０３  格納部
１０４、２０４  引き出し口
【図１】
2019014515.tif 000003
【図２】
2019014515.tif 000004
【図３】
2019014515.tif 000005
【図４】
2019014515.tif 000006
【図５】
2019014515.tif 000007
【図６】
2019014515.tif 000008
【図７】
2019014515.tif 000009
【図８】
2019014515.tif 000010
【図９】
2019014515.tif 000011
【図１０】
2019014515.tif 000012
【図１１】
2019014515.tif 000013
【図１２】
2019014515.tif 000014
【図１３】
2019014515.tif 000015
【図１４】
2019014515.tif 000016
【図１５】
2019014515.tif 000017
【図１６】
2019014515.tif 000018
【図１７】
2019014515.tif 000019